(57)【特許請求の範囲】
【請求項１】
加圧装置（１００）であって、
圧力シリンダ（１）と第１の端部蓋及び第２の端部蓋を備える圧力容器（２）と、
前記圧力容器内に配置された炉室（１８）と、前記炉室は、断熱ケーシング（６、７、８）によって少なくとも部分的に囲われ、圧力媒体が前記炉室に出入りできるように配置されており、
前記炉室と流体連通状態にあり、前記圧力容器内に外側冷却ループを形成するように配置された複数の圧力媒体誘導路（１０、１１）と、
前記圧力容器内に配置され、前記圧力媒体から熱を吸収するように構成された熱吸収体（２０）と
を備え、
ここにおいて、前記断熱ケーシング（６、７、８）は、断熱部分（７）と、前記断熱部分を少なくとも部分的に囲うハウジング（６）とを備え、ここにおいて、前記外側冷却ループの一部は、それぞれ、前記ハウジングの少なくとも複数の部分と、前記断熱部分との間に形成され且つ前記炉室から流出した後の前記圧力媒体を、前記第１の端部蓋に向かって、前記第１の端部蓋と前記炉室との間の空間へと誘導するように配置された、少なくとも１つの第１の圧力媒体誘導路（１１）を備え、この空間の中に前記熱吸収体が配置されており、前記熱吸収体は、前記炉室から流出した前記圧力媒体が、前記熱吸収体の内部（２２）に流入することを可能にする、複数の入口（２１）を備え、前記熱吸収体は、前記圧力媒体が前記熱吸収体を通って前記熱吸収体の少なくとも１つの出口（２３）に向かって誘導されることを可能にするように構成されており、前記少なくとも１つの出口は、前記圧力媒体が前記熱吸収体から流出することを可能にし、ここにおいて、前記複数の入口は、前記熱吸収体の第１の側面（２４）上に配置され、前記少なくとも１つの出口は、前記熱吸収体の第２の側面（２５）上に配置されており、ここにおいて、前記熱吸収体の前記第１の側面の少なくとも一部分が、前記熱吸収体の前記第１の側面の前記少なくとも一部分にわたって分布した複数の穿孔又は開口部を備え、前記複数の穿孔又は開口部は、前記熱吸収体の前記複数の入口を構成し、前記熱吸収体の前記複数の入口は、第１の圧力媒体誘導路に誘導された圧力媒体の全てを熱吸収体の内部に流入することを可能にし、前記熱吸収体の前記第２の側面は、前記第１の端部蓋の内面に向かう方向に面し、前記熱吸収体の前記複数の入口のそれぞれは、垂直方向に、そして、前記第１の端部蓋に向かう少なくとも１つの第１の圧力媒体誘導路内の圧力媒体の流れ方向に、前記熱吸収体の上に配置され、
ここにおいて、前記外側冷却ループの別の部分は、前記熱吸収体から流出した前記圧力媒体を、前記圧力媒体が前記炉室に再び流入する前に、前記圧力シリンダの壁の内面（２９）に近接して誘導するように配置された少なくとも１つの第２の圧力媒体誘導路（１０）を備える、
加圧装置。
【請求項２】
前記熱吸収体は、前記熱吸収体の前記第１の側面が、前記熱吸収体の前記第２の側面と向かい合うように配置されている、請求項１に記載の加圧装置。
【請求項３】
前記熱吸収体の前記少なくとも１つの出口は、少なくとも１つの開口部（２３）を備える、請求項１又は２に記載の加圧装置。
【請求項４】
前記熱吸収体は、その前記内部で、前記熱吸収体に流入した圧力媒体を、前記熱吸収体の前記少なくとも１つの出口に向かって又はそれへと誘導するように配置された複数の圧力媒体誘導流路（２６）を備える、請求項１〜３のいずれか一項に記載の加圧装置。
【請求項５】
前記熱吸収体の前記圧力媒体誘導流路は、ハニカム構造に含まれるか、又はハニカム構造によって構成される、請求項４に記載の加圧装置。
【請求項６】
前記熱吸収体の前記圧力媒体誘導流路のうちの少なくとも１つが、それぞれの前記圧力媒体誘導流路に沿う方向から見て、正方形、円形、又は楕円形の断面を有する、請求項４又は５に記載の加圧装置。
【請求項７】
前記熱吸収体は、多孔質構造を備える、請求項１〜６のいずれか一項に記載の加圧装置。
【請求項８】
前記少なくとも１つの第２の圧力媒体誘導路は、前記熱吸収体から流出した前記圧力媒体を、前記圧力媒体が前記炉室に再び流入する前に、更に前記第１の端部蓋に近接して誘導するように更に配置され得る、請求項１〜７のいずれか一項に記載の加圧装置。
【請求項９】
前記熱吸収体は、前記熱吸収体の前記第２の側面と、前記ハウジングの一部分との間に空間が存在するように、前記ハウジングによって少なくとも部分的に囲われ、この空間に、前記熱吸収体から流出した前記圧力媒体が流入し、前記圧力媒体は、前記ハウジングの前記部分における少なくとも１つの開口部（３８）を介して、前記少なくとも１つの第２の圧力媒体誘導路へと誘導され得る、請求項１〜８のいずれか一項に記載の加圧装置。
【請求項１０】
前記熱吸収体は、前記第１の端部蓋に機械的に接続されている、請求項１〜９のいずれか一項に記載の加圧装置。
【請求項１１】
前記第１の端部蓋は上端部蓋（３）からなり、前記第２の端部蓋は下端部蓋（９）からなり、前記炉室は、前記圧力媒体が、前記炉室と前記下端部蓋との間の空間から前記炉室へ流入し、また、前記炉室から流出してこの空間へ流入し得るように配置されている、請求項１〜１０のいずれか一項に記載の加圧装置。
【発明の詳細な説明】
【技術分野】
【０００１】
本発明は、一般に、加圧処理の分野に関する。特に、本発明は、例えば、熱間等方圧加圧（ＨＩＰ：hot isostatic pressing）などの、高温加圧による少なくとも１つの物品の処理のための加圧装置に関する。
【背景技術】
【０００２】
熱間等方圧加圧（ＨＩＰ）は、例えば、鋳造品（例えば、タービンブレード）において、それらの耐用年数と強度（例えば、それらの疲労強度）を大幅に増大させるために、ポロシティ（porosity）を低減あるいは除去するために使用され得る。更に、ＨＩＰは、粉末の圧縮による製品の製造において使用され得、その製品は、十分に又は実質的に十分に高密度であり、且つ、細孔のない又は実質的に細孔のない外面、等を有することが望ましいか、又は必要とされる。
【０００３】
ＨＩＰによる加圧処理を受ける物品は、断熱圧力容器の積載区画又は積載室内に配置され得る。処理サイクルは、物品を積載すること、物品を処理すること、及び物品を取り出すことを備え得る。いくつかの物品が同時に処理され得る。処理サイクルは、いくつかの部分、又は、加圧段階、加熱段階、及び冷却段階などの段階に分割され得る。物品を圧力容器に積載した後、次いで、それは密封され得、続いて、圧力媒体（例えば、アルゴン含有ガスなどの不活性ガスを含む）が、圧力容器及びその積載区画に導入される。次いで、圧力媒体の圧力及び温度を上昇させ、これにより、物品は、選択された時間期間の間、上昇した圧力及び上昇した温度にさらされる。順に、物品の温度上昇を引き起こし得る、圧力媒体の温度上昇は、圧力容器の炉室内に配置された発熱体又は炉によってもたらされる。圧力、温度及び処理時間は、例えば、被処理物品の所望の又は必要とされる材料特性、特定の応用分野、及び被処理物品の必要とされる品質に依存し得る。ＨＩＰにおける圧力は、例えば、８００バールから２０００バールまでなど、２００バールから５０００バールまでの範囲にあり得る。ＨＩＰにおける温度は、例えば、８００℃から２０００℃までなど、３００℃から３０００℃までの範囲にあり得る。
【０００４】
物品の加圧処理が終了すると、物品は、圧力容器から取り除かれる、即ち、取り出される前に、冷却される必要があり得る。物品の冷却の特性（例えば、その速度）は、被処理物品の冶金学上の特性に影響を及ぼし得る。一般に、均質な方法で物品を冷却できること、そしてまた、可能であれば、冷却速度を制御できることが望ましい。ＨＩＰを受ける物品の冷却に必要な時間期間を低減させる努力がなされてきた。例えば、冷却段階中、制御された方法で、（例えば、積載区画内の温度が、均一な方法で低減されるように）積載区画内でのいかなる大きい温度差も引き起こすことなく、圧力媒体の（従って、物品の）温度を急速に低下させること、及び、選択された時間期間中に温度の変動がないか又はわずかな温度の変動のみで、選択された時間期間中にある特定の温度レベルに又はある特定の温度範囲内に温度を維持することが、必要とされるか又は望ましくあり得る。物品の冷却中に積載区画内でのいかなる大きい温度差もないことにより、その冷却中、物品の異なる部分内には、温度差がないか、又は非常にわずかな温度差のみが存在し得る。それによって、被処理物品の内部応力が低減され得る。
【発明の概要】
【０００５】
物品が比較的高い圧力を受けている間に、物品の冷却が実施され得ることが企図され、これは、被処理物品の冶金学上の特性に有益であり得る。
【０００６】
この点と、前述の背景技術のセクションでの説明とを考慮すると、本発明の関心となるのが、例えば、ＨＩＰによって、少なくとも１つの物品の加圧処理を実施することが可能な加圧装置を提供することであり、この加圧装置は、処理サイクルの冷却段階中に、加圧処理を受ける少なくとも１つの物品の、必要な又は所望の温度への比較的急速な冷却を提供することが可能である。
【０００７】
本発明の更なる関心となるのが、例えば、ＨＩＰによって、少なくとも１つの物品の加圧処理を実施することが可能な加圧装置を提供することであり、この加圧装置は、場合によっては、毎分３００℃を超える圧力媒体の冷却速度で、処理サイクルの冷却段階中に、加圧処理を受ける少なくとも１つの物品の比較的高速な冷却を提供することが可能である。
【０００８】
これらの関心のうちの少なくとも１つ及びその他の関心に対処するために、独立請求項による加圧装置が提供される。好ましい実施形態は、従属請求項によって規定される。
【０００９】
第１の態様によれば、加圧装置が提供される。加圧装置は、加圧、例えば、ＨＩＰなどの高温加圧による、少なくとも１つの物品の処理に好適であり得る。加圧装置は、圧力容器を備える。圧力容器は、圧力シリンダと端部蓋（end closure）とを備える。加圧装置は、圧力容器内に配置された炉室を備える。炉室は、少なくとも１つの物品を保持するように配置又は構成され得る。炉室は、断熱ケーシングによって少なくとも部分的に囲われる。炉室（例えば、その断熱ケーシング）は、圧力媒体が炉室に出入りできるように配置され得る。加圧装置は、炉室と流体連通状態にあり且つ圧力容器内に外側冷却ループを形成するように配置された、複数の圧力媒体誘導路を備える。加圧装置は、熱吸収体を備える。熱吸収体は、圧力容器内に配置され、圧力媒体から熱、即ち、熱エネルギーを吸収するように構成される。
【００１０】
加圧装置の断熱ケーシングは、断熱部分と、断熱部分を少なくとも部分的に囲うハウジングとを備える。
【００１１】
外側冷却ループの一部は、それぞれ、ハウジングの少なくとも複数の部分と、断熱部分との間に形成され且つ炉室から流出した後の圧力媒体を、端部蓋に向かって、端部蓋と炉室との間にある空間へと誘導するように配置された、少なくとも１つの第１の圧力媒体誘導路を備え、この空間の中に熱吸収体が配置されている。
【００１２】
熱吸収体は、炉室から流出した圧力媒体が、熱吸収体の内部に流入することを可能にする、少なくとも１つの入口を備える。熱吸収体は、圧力媒体が熱吸収体を通って熱吸収体の少なくとも１つの出口に向かって誘導されることを可能にするように構成され、少なくとも１つの出口は、圧力媒体が熱吸収体から流出することを可能にする。少なくとも１つの入口は、熱吸収体の第１の側面上に配置され、少なくとも１つの出口は、熱吸収体の第２の側面上に配置されている。熱吸収体の第２の側面は、端部蓋の内面に向かう方向に面している。
【００１３】
外側冷却ループの別の部分は、（少なくとも１つの第２の開口部を介して）熱吸収体から流出した圧力媒体を、圧力媒体が炉室に再び流入する前に、圧力シリンダの壁の内面に近接して誘導するように配置された、少なくとも１つの第２の圧力媒体誘導路を備える。
【００１４】
従って、第１の態様によれば、加圧装置は、炉室から流出した後の圧力媒体が、最終的には炉室へ戻される前に誘導され得る外側冷却ループを含む。圧力媒体は、外側冷却ループを通過中に、圧力媒体誘導路の壁及び圧力容器の壁などの加圧装置の構成要素に、熱、即ち、熱エネルギーを放散させることによって冷却される。第１の態様によれば、炉室から流出した圧力媒体は、まず、それぞれ、ハウジングの少なくとも複数の部分と、断熱部分との間に形成された外側冷却ループの一部において、圧力容器の圧力シリンダの端部蓋に向かって誘導され得る。従って、圧力媒体は、断熱部分の外面と、断熱部分を少なくとも部分的に囲うハウジングの内面との間を通り得、これにより、圧力媒体は、断熱部分よりも冷たくあり得るハウジングの内面に近接して通ることによって冷却され得る。その後、圧力媒体の少なくとも一部、又は圧力媒体の全て（又は、実質的に全て）さえもが、熱吸収体を通り抜け、これにより、圧力媒体は、更に冷却され得る。圧力媒体が熱吸収体から流出した後、圧力媒体は、圧力容器の壁の内面に近接して誘導され、これにより、圧力媒体は、圧力媒体が炉室に再び流入する前に、更に冷却され得る。
【００１５】
前述に照らして、外側冷却ループにおける、少なくとも１つの第１の圧力媒体誘導路、及び少なくとも１つの第２の圧力媒体誘導路、並びに熱吸収体によって、例えば、処理サイクルの冷却段階中に、例えば、炉室の中に置かれ得る、任意の物品の必要な又は所望の温度への比較的迅速な冷却が達成され得る。更に、例えば、熱吸収体を、その熱吸収容量又は能力に関して適切に構成することによって、例えば、処理サイクルの冷却段階中に、物品の比較的高速な冷却を達成することが可能になり得る。
【００１６】
代替的に、ヒートシンクユニット、又は熱交換器ユニットとも呼ばれ得る、熱吸収体は、完全に圧力容器内に配置され得る。熱吸収体には、冷却媒体を熱吸収体へ又は熱吸収体から運ぶためのいかなる導管、通路、流路、又は同様のものも設けることができないという意味で、熱吸収体は、「受動（passive）」要素であり得る。熱吸収体は、圧力容器の外部との接続がない場合がある。特に、熱吸収体は、圧力容器の外部との流体連通がない場合がある。
【００１７】
圧力容器又は加圧装置で使用される圧力媒体は、例えば、加圧装置で処理されることになる（１つ又は複数の）物品に対して比較的低い化学親和力を有し得る液体又はガス状の媒体を含むか、又はそれによって構成され得る。例えば、圧力媒体は、ガス、例えば、アルゴンガスのような不活性ガス、又は、液体、例えば、油を含み得る。
【００１８】
少なくとも１つの第２の圧力媒体誘導路は、例えば、圧力シリンダの壁に沿って、圧力容器の壁に沿って配置され得る。
【００１９】
熱吸収体から流出した圧力媒体が、圧力媒体が炉室に再び流入する前に、（少なくとも１つの第２の圧力媒体誘導路内で）それに近接して誘導される内面を有する、圧力シリンダの壁は、圧力シリンダの外壁を備え得る。圧力シリンダの外壁は、例えば、圧力シリンダの側壁又は周壁を備え得る。圧力シリンダの外壁の外表面上（又は圧力シリンダのエンベロープ表面（envelope surface）上）には、流路、導管及び／又はチューブ、等が設けられ得、その中で、冷却剤の流れが、圧力シリンダの外壁を冷却するために提供され得る。
【００２０】
圧力シリンダの外壁の外表面上、そして場合によっては、冷却剤用の任意の流路、導管及び／又はチューブ、等に対して、プレストレス手段が提供され得る。プレストレス手段は、例えば、圧力シリンダの外壁の外表面、そして場合によってはまた、その上に設けられ得る冷却剤用の任意の流路、導管及び／又はチューブ、等の周りに、１つ又は複数の帯を、好ましくはいくつかの層において、形成するように、複数回巻かれたワイヤ（例えば、鋼鉄製）の形で設けられ得る。プレストレス手段は、圧力シリンダに半径方向圧縮力を作用させるために配置され得る。
【００２１】
圧力シリンダの壁の内面に近接して誘導される圧力媒体から、圧力シリンダの壁に移動され得る熱エネルギーの量は、次のうちの少なくとも１つに依存し得る：圧力シリンダの壁の内面に近接して通過中の圧力媒体の速度、圧力媒体が圧力シリンダの壁の内面に近接して通過中に、圧力シリンダの壁の内面との（直接的）接触を有する圧力媒体の量、及び圧力媒体と圧力シリンダの壁との間の相対温度差。圧力シリンダの壁は、圧力シリンダの外壁であり得る。
【００２２】
本願の文脈において、外側冷却ループとは、炉室内の冷却ループ、例えば、炉室内の対流ループとは別個の冷却ループを意味する。
【００２３】
熱吸収体は、例えば、熱吸収体の第１の側面が、熱吸収体の第２の側面と向かい合うように配置され得る。従って、熱吸収体の第１の側面と第２の側面は、熱吸収体の対向する２つの側面であり得る。
【００２４】
熱吸収体の少なくとも１つの入口は、例えば、少なくとも１つの開口部を備え得る。熱吸収体の少なくとも１つの出口は、少なくとも１つの開口部を備え得る。
【００２５】
本発明の１つ又は複数の実施形態によれば、熱吸収体は、複数の入口を備え得る。熱吸収体の第１の側面の少なくとも一部分は、熱吸収体の第１の側面の少なくとも一部分にわたって分布した複数の穿孔又は開口部を備え得る。熱吸収体の第１の側面の少なくとも一部分にわたって分布した複数の穿孔又は開口部は、熱吸収体の複数の入口を構成し得る。炉室から流出し、それぞれ、ハウジングの少なくとも複数の部分と、断熱部分との間に形成された外側冷却ループの一部において、圧力容器の圧力シリンダの端部蓋に向かって誘導される圧力媒体は、圧力媒体の流動体抵抗（flow resistance）により、複数の穿孔又は開口部を備えた、熱吸収体の第１の側面の少なくとも一部分にわたって、均等又は実質的に均等に分配されることになり得る。それによって、炉室から流出した比較的多量の圧力媒体が、熱吸収体の内部に流入することが、促進又は保証され得る。
【００２６】
熱吸収体は、異なる要件又は要望に関して、その熱吸収容量又は能力を適合又はカスタマイズするために、異なる方法で構成又は配置され得る。それによって、例えば、処理サイクルの冷却段階中に、物品の比較的高速な冷却を達成することが可能になり得る。
【００２７】
本発明の１つ又は複数の実施形態によれば、熱吸収体（の内部）は、例えば、多流路構造（multi-channel structure）、又はハニカム構造（即ち、ハチの巣に類似した幾何学的形状を有する構造）を呈し得る。熱吸収体は、例えば、複数の圧力媒体誘導流路を備え得、その各々は、熱吸収体の内部で、熱吸収体に流入した圧力媒体を、熱吸収体の少なくとも１つの出口に向かって又はそれへと誘導するように配置され得る。熱吸収体の圧力媒体誘導流路は、例えば、ハニカム構造に含まれるか、又はハニカム構造によって構成され得る。
【００２８】
各圧力媒体誘導流路は、一般に、熱吸収体の第１の側面と、熱吸収体の第２の側面との間の軸に沿って延在し得る。
【００２９】
熱吸収体の圧力媒体誘導流路のうちの少なくとも１つは、例えば、それぞれの圧力媒体誘導流路に沿う方向から見て、正方形、円形、又は楕円形の断面を有し得る。それぞれの圧力媒体誘導流路に沿う方向から見て、正方形、又は実質的に正方形の断面を有する圧力媒体誘導流路は、圧力媒体が圧力媒体誘導流路を通って運ばれている間に、圧力媒体についての比較的低い流動抵抗を提供するという点で、特に有利であり得る。それによって、例えば、処理サイクルの冷却段階中に、例えば、炉室の中に置かれ得る、任意の物品の必要な又は所望の温度への比較的急速な冷却が促進され得、それと同時に、冷却段階の所要時間を比較的短く保つ。熱吸収体の圧力媒体誘導流路のうちの少なくとも１つは、正方形、円形、又は楕円形の断面以外の、それぞれの圧力媒体誘導流路に沿う方向から見た断面を有し得、従って、これらの形状は例示的であることを理解されたい。本発明の１つ又は複数の実施形態によれば、例えば、三角形又は四角形、あるいはその他任意の多角形が、企図され得る。
【００３０】
熱吸収体の少なくとも一部分又は一部は、金属又は比較的高い熱伝導性を有する別の材料から作製され得る。
【００３１】
例えば、熱吸収体（の内部）は、例えば、金属又は比較的高い熱伝導性を有する別の材料から作製された複数の球体などの、１つ又は複数の蓄熱体を含み得る。
【００３２】
代替又は追加として、熱吸収体（の内部）は、比較的高い熱伝導性を有する材料の多孔質構造を含み得る。例えば、熱吸収体（の内部）は、場合によっては、相互接続された細孔を有する、例えば、いわゆるオープンフォーム（open foam）などの、発泡金属を含み得る。
【００３３】
場合によっては、熱吸収体は、複数の出口を備え得る。熱吸収体の第２の側面の少なくとも一部分は、熱吸収体の第２の側面の少なくとも一部分にわたって分布した複数の穿孔又は開口部を備え得る。熱吸収体の第２の側面の複数の穿孔又は開口部は、熱吸収体の複数の出口を構成し得る。
【００３４】
少なくとも１つの第２の圧力媒体誘導路は、圧力容器の圧力シリンダの端部蓋に沿って更に配置され得る。
【００３５】
少なくとも１つの第２の圧力媒体誘導路は、（少なくとも１つの第２の開口部を介して）熱吸収体から流出した圧力媒体を、圧力媒体が炉室に再び流入する前に、更に端部蓋に近接して（further in proximity to）誘導するように配置され得る。端部蓋に近接して誘導されている間、熱、即ち、熱エネルギーは、圧力媒体から端部蓋に移動され得、それを介して、熱、即ち、熱エネルギーは、その後、圧力容器から放散され得る。従って、熱吸収体から流出した圧力媒体を、圧力媒体が炉室に再び流入する前に、更に端部蓋に近接して誘導するように、少なくとも１つの第２の圧力媒体誘導路を配置することによって、圧力媒体の冷却が増進され得る。それによって、例えば、処理サイクルの冷却段階中に、例えば、炉室の中に置かれ得る、任意の物品の必要な又は所望の温度への比較的迅速な冷却が促進され得、それと同時に、冷却段階の所要時間を比較的短く保つ。
【００３６】
端部蓋に近接して誘導される圧力媒体から、端部蓋に移動され得る熱エネルギーの量は、次のうちの少なくとも１つに依存し得る：端部蓋に近接して通過中の圧力媒体の速度、圧力媒体が端部蓋に近接して通過中に、端部蓋との（直接的）接触を有する圧力媒体の量、及び圧力媒体と端部蓋との間の相対温度差。
【００３７】
熱吸収体は、例えば、熱吸収体の第２の側面と、ハウジングの一部分との間に空間が存在するように、ハウジングによって少なくとも部分的に囲われ得、この空間に、熱吸収体から流出した圧力媒体が流入し得る（又は流入する）。圧力媒体は、ハウジングの上述した部分における少なくとも１つの開口部を介して、少なくとも１つの第２の圧力媒体誘導路へと誘導され得る。前述のとおり、少なくとも１つの第２の圧力媒体誘導路は、端部蓋に沿って更に配置され得、少なくとも１つの第２の圧力媒体誘導路は、熱吸収体から流出した圧力媒体を、圧力媒体が炉室に再び流入する前に、更に端部蓋に近接して誘導するように配置され得る。圧力媒体は、ハウジングの上述した部分における少なくとも１つの開口部を介して、（端部蓋に近接して）少なくとも１つの第２の圧力媒体誘導路へと誘導され得る。
【００３８】
ハウジングの上述した部分の少なくとも１つの開口部は、例えば、端部蓋の方に向けられた、場合によっては、圧力容器の縦方向軸に対して中央に位置する、単一の開口部であり得る。それによって、端部蓋の内面に向かう、熱吸収体から流出した圧力媒体の比較的高速の流れが達成され得る。これは順に、圧力媒体から端部蓋への熱、即ち、熱エネルギーの比較的大きい移動を促進又は可能にし得、それを介して、熱、即ち、熱エネルギーは、その後、圧力容器から放散され得、それによって、圧力媒体の冷却を増進する。それによって、例えば、処理サイクルの冷却段階中に、例えば、炉室の中に置かれ得る、任意の物品の必要な又は所望の温度への比較的迅速な冷却が促進され得、それと同時に、冷却段階の所要時間を比較的短く保つ。
【００３９】
熱吸収体は、端部蓋に機械的に接続され得る。熱吸収体は、圧力媒体から端部蓋への熱、即ち、熱エネルギーの比較的大きい移動を（更に）促進するために、端部蓋に機械的に接続され得る。熱吸収体が端部蓋に機械的に接続されていることにより、熱吸収体は、熱吸収体と端部蓋との間に流れる圧力媒体を介して、単に端部蓋に熱的に結合又は接続されているだけではなくなり得る。熱吸収体を通って運ばれている圧力媒体からの、熱吸収体によって吸収されるいずれの熱、即ち、熱エネルギーの少なくとも一部分は、熱吸収体と端部蓋との間の機械的接続によって、熱吸収体から端部蓋に移動され得る。熱吸収体から端部蓋に移動される熱、即ち、熱エネルギーは、その後、端部蓋を介して圧力容器から放散され得る。従って、熱吸収体が端部蓋に機械的に接続されていることによって、圧力媒体の冷却が増進され得る。それによって、例えば、処理サイクルの冷却段階中に、例えば、炉室の中に置かれ得る、任意の物品の必要な又は所望の温度への比較的迅速な冷却が促進され得、それと同時に、冷却段階の所要時間を比較的短く保つ。
【００４０】
熱吸収体は、例えば、熱吸収体の一部又は一部分が、端部蓋と機械的接触状態にあることによって、端部蓋に機械的に接続され得る。代替又は追加として、熱吸収体は、例えば、熱吸収体と端部蓋とに接続された１つ又は複数の別個の熱伝導要素によって、端部蓋に機械的に接続され得る。
【００４１】
熱吸収体は、異なる方法で圧力容器内に配置され得る。熱吸収体は、例えば、ハウジングの一部分に、例えば、固定されるか、又は固定的に接続され得る。代替又は追加として、熱吸収体は、少なくとも１つの支持構造によって支持され得、これは、断熱部分又はハウジングのうちの少なくとも１つに連結され得る。
【００４２】
端部蓋は、例えば、上端部蓋を含むか、又はそれによって構成され得る。
【００４３】
圧力容器は、下端部蓋を更に含み得る。従って、圧力容器は、上端部蓋と下端部蓋、又は（より一般的には）第１の端部蓋と第２の端部蓋を含み得る。炉室は、例えば、圧力媒体が、炉室と下（又は第２の）端部蓋との間の空間から炉室へ流入し、また、炉室から流出してこの空間へ流入し得るように配置され得る。圧力容器、又は圧力容器の圧力シリンダは、例えば、上（又は第１の）端部蓋の内面と、下（又は第２の）端部蓋の内面とが、互いに向かい合う、又は実質的に互いに向かい合うように配置され得る。
【００４４】
上述した端部蓋のうちの任意の１つの各々は、例えば、当該技術分野において既知である任意の方法に従って、開閉され得るように配置され得る。
【００４５】
本発明の更なる目的及び利点は、例示的な実施形態によって以下で説明される。本発明は、特許請求の範囲に記載される特徴の全ての可能な組合せに関連することに留意されたい。本発明の更なる特徴及び利点は、添付の特許請求の範囲及び本明細書での説明を検討すると明らかになるであろう。当業者は、本発明の異なる特徴が、本明細書で説明される実施形態以外の実施形態を作り出すために組み合わされ得ることを理解する。
【００４６】
本発明の例示的な実施形態が、添付の図面を参照しながら以下で説明される。
【図面の簡単な説明】
【００４７】
【図１】図１は、本発明の一実施形態による、加圧装置の概略的な部分断面側面図である。
【図２】図２は、開口部の形で複数の入口が配置された、熱吸収体の第１の側面を上から見た、本発明の一実施形態による熱吸収体の図である。
【図３】図３は、開口部の形で複数の出口が配置された、熱吸収体の第２の側面を上から見た、図２に例示された熱吸収体の図である。
【図４】図４は、本発明の一実施形態による、加圧装置の概略的な部分断面側面図である。
【発明を実施するための形態】
【００４８】
全ての図面は概略的であり、必ずしも縮尺通りではなく、一般に、本発明の実施形態を明らかにするために必要な部分のみを示しており、ここで、他の部分は省略され得るか又は単に示唆され得る。
【００４９】
次に、本発明の例示的な実施形態が示される添付の図面を参照しながら、本発明が以下で説明される。しかしながら、本発明は、多くの異なる形態で具現化され得、本明細書に記載される本発明の実施形態に限定されるものとして解釈されるべきでなく、むしろ、これらの実施形態は、本開示が当業者に本発明の範囲を伝えるように、例として提供される。
【００５０】
図１は、本発明の一実施形態による、加圧装置１００の概略的な部分断面側面図である。加圧装置１００は、参照番号５で概略的に示される少なくとも１つの物品の加圧のために使用されるように意図される。加圧装置１００は、圧力容器２を備える。図１には示されていないが、圧力容器２は、圧力容器２へ及び圧力容器２から、圧力媒体を供給及び排出するための、例えば、１つ又は複数のポート、入口、出口、弁、等の、要素、手段、モジュール、等を備え得る。
【００５１】
圧力容器２は、圧力シリンダ１と、上端部蓋３と、下端部蓋９とを備える。圧力容器２は、炉室１８を備える。炉室１８は、例えば、処理サイクルの加圧段階中に、圧力容器内の圧力媒体を加熱するための炉、即ち、ヒーター又は発熱体を備える。炉は、参照番号３６によって、図１に概略的に示される。図１に例示される本発明の実施形態によれば、炉３６は、炉室１８の下部に配置され得る。代替又は追加として、炉３６は、炉室１８の内側面又は外側面に近接して配置され得る。炉室１８に関連した、例えば、炉室１８内の、炉３６の異なる構成及び配置が可能であることを理解されたい。炉室１８に関連した、例えば、炉室１８内の、その配置に関する炉３６の任意の実装は、本明細書で説明される本発明の実施形態のうちの任意の１つにおいて使用され得る。本願の文脈において、「炉」という用語は、加熱を提供する要素又は手段を指し、一方、「炉室」という用語は、その中に、炉、そして場合によっては、積載区画及び任意の物品が設置されるエリア又は領域を指す。図１に例示されるように、炉室１８は、圧力容器２の内部空間全体を占有しない場合があるが、炉室１８の周りに圧力容器２の内部の中間空間１０を残し得る。中間空間１０は、圧力媒体誘導路１０を形成する。加圧装置１００の動作中、中間空間１０内の温度は、炉室１８内の温度よりも低くなり得るが、中間空間１０と炉室１８は、等しい又は実質的に等しい圧力にあり得る。
【００５２】
圧力容器２の外壁の外面には、流路、導管、又はチューブ、等（図示せず）が設けられ得、これら、流路、導管、又はチューブは、圧力容器２の外壁の外面に接続しているように配置され得、且つ、圧力容器２の軸方向と平行するように配置され得る。圧力容器２の壁を冷却するための冷却剤が、流路、導管、又はチューブ内に供給され得、これにより、圧力容器２の壁は、圧力容器２の動作中の有害な熱の蓄積から壁を保護するために、冷却され得る。流路、導管、又はチューブ内の冷却剤は、例えば、水を含み得るが、別の又は他のタイプの冷却剤も可能である。圧力容器２の外壁の外面に設けられた流路、導管、又はチューブ内の冷却剤の例示的な流れが、圧力容器２の外側の矢印によって、図１に示される。
【００５３】
いずれの図にも明示されていないが、圧力容器２は、それが開閉され得るように配置され得、これにより、圧力容器２内の任意の物品５が、挿入又は取り除かれ得る。開閉され得るような圧力容器２の配置は、当該技術分野で既知であるように、いくつかの異なる方法で実現され得る。図１には明示されていないが、上端部蓋３及び下端部蓋９の一方又は両方が、開閉され得るように配置され得る。
【００５４】
炉室１８は、断熱ケーシング６、７、８によって囲われており、圧力媒体が炉室１８に出入りできるように配置されている。図１に例示される本発明の実施形態によれば、断熱ケーシング６、７、８は、断熱部分７と、断熱部分７を部分的に囲うハウジング６と、下部断熱部分(bottom insulating portion)８とを備える。断熱ケーシングは、参照番号６、７、８によって集合的に参照されるが、断熱ケーシング６、７、８の要素の全てが、断熱される又は断熱であるように配置されるわけではない。例えば、ハウジング６は、断熱される又は断熱であるよう配置されない場合がある。
【００５５】
加圧装置１００は、熱吸収体２０を備える。熱吸収体２０は、圧力容器２内に配置され、圧力媒体から熱を吸収するように構成される。熱吸収体２０の少なくとも一部分又は一部は、例えば、金属又は比較的高い熱伝導性を有する別の材料から作製され得る。以下で、熱吸収体２０を更に説明する。
【００５６】
圧力媒体誘導路１１が、断熱部分７とハウジング６との間に形成される。図１に例示されるように、圧力媒体誘導路１０及び１１は、炉室１８と流体連通状態にあり、圧力容器２内の外側冷却ループの少なくとも一部を形成するように配置されている。処理サイクルの冷却段階中の圧力媒体の流れは、図１に示される圧力容器２内の矢印によって例示される。外側冷却ループの一部は、それぞれ、ハウジング６の複数の部分と、断熱部分７との間に形成された圧力媒体誘導路１１を備える。圧力媒体誘導路１１は、炉室１８から流出した後の圧力媒体を、上端部蓋３に向かって、上端部蓋３と炉室１８との間の空間へ誘導するように配置され、この空間の中に熱吸収体２０が配置されている。熱吸収体２０は、例えば、１つ又は複数の支持構造（図１には図示せず）によって、上端部蓋３と炉室１８との間の空間内に吊り下げられる（suspended）か、又は配置され得、この（１つ又は複数の）支持構造は、例えば、ハウジング６及び／又は断熱部分７に取り付けられ得る。図１に例示されるように、圧力媒体は、積載区画１９から流出し、その後、積載区画１９の壁と断熱部分７との間の圧力媒体誘導路において誘導され得、その後、圧力媒体は、断熱部分７とハウジング６との間の開口部によって、圧力媒体誘導路１１に流入し得る。断熱部分７とハウジング６との間の開口部には、場合によっては、弁又はその他任意のタイプの調節可能なスロットル又は圧力媒体流量制限手段が設けられ得る。
【００５７】
熱吸収体２０は、炉室１８から流出した圧力媒体が、熱吸収体２０の内部２２に流入することを可能にする、複数の入口２１を備える。熱吸収体２０は、圧力媒体が熱吸収体２０を通って熱吸収体２０の複数の出口２３に向かって誘導されることを可能にするように構成される。複数の出口２３は、圧力媒体が熱吸収体２０から流出することを可能にする。入口２１は、熱吸収体２０の第１の側面２４上に配置され、出口２３は、熱吸収体２０の第２の側面２５上に配置されている。必ずしも複数の入口２１及び複数の出口２３を有することが必要とされるわけではないことを理解されたい。場合によっては、熱吸収体２０の第１の側面２４上には、１つの入口２１のみが存在し得、また、場合によっては、熱吸収体２０の第２の側面２５上には、１つの出口２３のみが存在し得る。
【００５８】
熱吸収体２０の第２の側面２５は、例えば、図１に例示されるように、上端部蓋３の内面に向かう方向に面している。図１に更に例示されるように、熱吸収体２０は、熱吸収体２０の第１の側面２４が、熱吸収体２０の第２の側面２５と向かい合うように配置され得る。
【００５９】
外側冷却ループの別の部分は、（例えば、上端部蓋３の下の）上端部蓋３の内面によって部分的に画定された空間によって画定される圧力媒体誘導路と、圧力媒体誘導路１０とを備える。上端部蓋３の内面によって部分的に画定された空間によって画定される圧力媒体誘導路、及び圧力媒体誘導路１０は、熱吸収体２０から流出した圧力媒体を、圧力媒体が炉室１８に再び流入する前に、上端部蓋３に近接して、及び圧力容器２の壁（例えば、それぞれ、図１に例示されるような、圧力シリンダ１の壁）の内面２９に近接して、誘導するように配置されている。従って、外側冷却ループの他の部分では、圧力媒体は、上端部蓋３の内面と、圧力シリンダ１の壁の内面２９とに近接して誘導される。上端部蓋３の内面と、圧力シリンダ１の壁の内面２９とに近接して通過中の圧力媒体から移動され得る熱エネルギーの量は、次のうちの少なくとも１つに依存し得る：圧力媒体の速度、上端部蓋３の内面と、圧力シリンダ１の壁の内面２９との（直接的）接触を有する圧力媒体の量、圧力媒体と、上端部蓋３の内面及び圧力シリンダ１の壁の内面２９との間の相対温度差、上端部蓋３の厚さ及び圧力シリンダ１の厚さ、及び、（圧力シリンダ１の外側の矢印によって図１に示される）圧力シリンダ１の壁の外面に設けられた流路、導管、又はチューブ内の冷却剤の任意の流れの温度。
【００６０】
圧力媒体誘導路１０において炉室１８に向かって戻るように誘導される圧力媒体は、炉室１８（又は下部断熱部分８）と下端部蓋９との間の空間へ流入する。炉室１８は、圧力媒体が、炉室１８と下端部蓋９との間の空間から炉室１８へ流入し、また、炉室１８から流出してこの空間へ流入し得るように配置され得る。例えば、図１に例示される本発明の実施形態によれば、炉室１８には、下部断熱部分８における開口部が設けられ得、圧力媒体の流れが炉室１８に出入りすることを可能にする。図１に例示されるように、加圧装置１００は、炉室１８内で圧力媒体を循環させるためのファン３０などを備え得る。図１に例示される本発明の実施形態によれば、ファン３０は、例えば、圧力媒体の流れが炉室１８に出入りすることを可能にする、下部断熱部分８における上述した開口部において配置され得る。
【００６１】
図１に例示されるように、下部断熱部分８と下端部蓋９との間の空間から、下部断熱部分８を通って延在し得る圧力媒体導管３１（例えば、輸送管を含む）が設けられ得、これにより、下部断熱部分８と下端部蓋９との間の空間へ流入する、圧力媒体誘導路１０からの圧力媒体は、圧力媒体導管３１を介して炉室１８へと誘導され得る。圧力媒体導管３１には、１つ又は複数の開口部（図１には図示せず）が設けられ得、これは、場合によっては、バルブなどの１つ又は複数の調節可能なスロットルを含み得、圧力媒体導管３１に圧力媒体が流入することを可能にする。代替又は追加として、圧力媒体導管３１の端部が、下端部蓋９の内面から少し離れて終端し得、及び下部断熱部分８と下端部蓋９との間の空間に設置された入口を有し得、それによって、圧力媒体導管３１に圧力媒体が流入することを可能にする。
【００６２】
加圧装置１００は、例えば、１つ又は複数のファン、ポンプ、エジェクタなどの形態で、少なくとも１つの流れ発生器を備え得る。少なくとも１つの流れ発生器は、圧力媒体誘導路１０において誘導された後、下部断熱部分８と下端部蓋９との間の空間へ流入する圧力媒体を、例えば、図１に例示される圧力媒体導管３１を介して、炉室１８に向かって及びそれへと輸送するように、圧力容器２内に配置され得る。少なくとも１つの流れ発生器は、図１には示されていない。
【００６３】
図１に例示される本発明の実施形態によれば、熱吸収体２０は、熱吸収体２０の第２の側面２５と、ハウジング６の一部分との間に空間が存在するように、ハウジング６によって少なくとも部分的に囲われ、この空間に、熱吸収体２０から流出した圧力媒体が流入し得る。熱吸収体２０から流出してこの空間へ流入する圧力媒体は、ハウジング６の部分における（少なくとも）開口部３８を介して、上端部蓋３の内面によって部分的に画定された空間によって画定される圧力媒体誘導路と、圧力媒体誘導路１０とへ誘導される。
【００６４】
図２は、開口部２１の形での複数の入口２１が配置された、熱吸収体２０の第１の側面２４を上から見た、本発明の一実施形態による熱吸収体２０の図である。図３は、開口部２３の形での複数の出口２３が配置された、熱吸収体２０の第２の側面２５を上から見た、図２に例示された熱吸収体２０の図である。熱吸収体２０は、その内部で、熱吸収体２０に流入した圧力媒体を、熱吸収体２０の少なくとも１つの出口に向かって又はそれへと誘導するように配置された複数の圧力媒体誘導流路２６を備える。圧力媒体誘導流路２６の各々は、例えば、入口２１と、対応する出口２３とを有し得るが、これは必須ではない。例えば、１つ又はいくつかの圧力媒体誘導流路２６は、入口マニホールドと出口２３とをそれぞれ有し得る。
【００６５】
熱吸収体２０内の圧力媒体誘導流路２６の配置又は構成は、異なる方法で実現又は実装され得る。例えば、熱吸収体２０の圧力媒体誘導流路２６は、ハニカム構造に含まれるか、又はハニカム構造によって構成され得る。
【００６６】
図２及び図３に例示される本発明の実施形態によれば、熱吸収体２０の圧力媒体誘導流路２６は、それぞれの圧力媒体誘導流路２６に沿う方向から見て、正方形の断面をそれぞれ有する。しかしながら、これは一例によるものであり、圧力媒体誘導流路２６のうちの１つ又は複数が、正方形以外の、例えば、円形、三角形、又は四角形、あるいはその他任意の多角形などの、それぞれの圧力媒体誘導流路に沿う方向から見た断面を有し得ることを理解されたい。
【００６７】
図２及び図３に例示されるような、複数の圧力媒体誘導流路２６を備えた熱吸収体２０の構成は例示的であり、他の構成も可能であることを理解されたい。例えば、熱吸収体２０の内部２２は、例えば、金属又は比較的高い熱伝導性を有する別の材料から作製された複数の球体などの、１つ又は複数の蓄熱体（図示せず）を含み得る。代替又は追加として、熱吸収体２０の内部２２は、比較的高い熱伝導性を有する材料の多孔質構造（図示せず）を含み得る。例えば、熱吸収体２０の内部２２は、場合によっては、相互接続された細孔を有する、例えば、いわゆるオープンフォームなどの、発泡金属を含み得る。
【００６８】
図４は、本発明の一実施形態による、加圧装置１００の概略的な部分断面側面図である。図４に例示される加圧装置１００は、図１に例示される加圧装置１００に類似し、同じ参照番号が、同じ又は同様の機能を有する同じ又は同様の構成要素を示す。図４に例示される加圧装置１００は、図４に例示される加圧装置１００が、熱吸収体２０を上端部蓋３に機械的に接続するように配置された接続要素３２を備えるという点で、図１に例示された加圧装置１００とは異なる。接続要素３２は、熱伝導材料、例えば、金属又は金属材料で作製され得る。代替又は追加として、熱吸収体２０は、上端部蓋３と機械的接触状態にある、熱吸収体２０の一部又は一部分（図４には図示せず）によって、上端部蓋３に機械的に接続され得る。
【００６９】
結論として、加圧装置が開示される。加圧装置は、圧力容器と、圧力容器内に配置された炉室とを備える。炉室は、断熱ケーシングによって少なくとも部分的に囲われ、圧力媒体が炉室に出入りできるように配置されている。加圧装置は、炉室と流体連通状態にあり且つ圧力容器内に外側冷却ループを形成するように配置された、複数の圧力媒体誘導路を備える。加圧装置は、熱吸収体を備え、これは、圧力容器内に配置され、炉室から流出した圧力媒体から熱を吸収するように構成される。
【００７０】
本発明が添付の図面及び前述の説明において例示されてきた一方で、このような例示は、例示的又は実例的であって限定的ではないと考えられるべきであり、本発明は、開示された実施形態に限定されるものではない。開示された実施形態に対する他の変形が、図面、本開示、及び添付の特許請求の範囲の検討から、請求項に記載の発明を実施する際に、当業者によって理解され、達成され得る。添付の特許請求の範囲において、「〜を備える」という用語は、他の要素又は工程を除外せず、不定冠詞「ａ」又は「ａｎ」は、複数形を除外しない。ある特定の手段が相互に異なる従属請求項において記載されているという単なる事実は、これらの手段の組合せが有利に用いられ得ないことを示すわけではない。特許請求の範囲におけるいずれ参照符号も、範囲を限定するものとして解釈されるべきではない。
以下に、本願出願の当初の特許請求の範囲に記載された発明を付記する。
［１］  加圧装置（１００）であって、
圧力シリンダ（１）と端部蓋（３）とを備える圧力容器（２）と、
前記圧力容器内に配置された炉室（１８）と、前記炉室は、断熱ケーシング（６、７、８）によって少なくとも部分的に囲われ、圧力媒体が前記炉室に出入りできるように配置されており、
前記炉室と流体連通状態にあり、前記圧力容器内に外側冷却ループを形成するように配置された複数の圧力媒体誘導路（１０、１１）と、
前記圧力容器内に配置され、前記圧力媒体から熱を吸収するように構成された熱吸収体（２０）と
を備え、
ここにおいて、前記断熱ケーシング（６、７、８）は、断熱部分（７）と、前記断熱部分を少なくとも部分的に囲うハウジング（６）とを備え、ここにおいて、前記外側冷却ループの一部は、それぞれ、前記ハウジングの少なくとも複数の部分と、前記断熱部分との間に形成され且つ前記炉室から流出した後の前記圧力媒体を、前記端部蓋に向かって、前記端部蓋と前記炉室との間の空間へと誘導するように配置された、少なくとも１つの第１の圧力媒体誘導路（１１）を備え、この空間の中に前記熱吸収体が配置されており、前記熱吸収体は、前記炉室から流出した前記圧力媒体が、前記熱吸収体の内部（２２）に流入することを可能にする、少なくとも１つの入口（２１）を備え、前記熱吸収体は、前記圧力媒体が前記熱吸収体を通って前記熱吸収体の少なくとも１つの出口（２３）に向かって誘導されることを可能にするように構成されており、前記少なくとも１つの出口は、前記圧力媒体が前記熱吸収体から流出することを可能にし、ここにおいて、前記少なくとも１つの入口は、前記熱吸収体の第１の側面（２４）上に配置され、前記少なくとも１つの出口は、前記熱吸収体の第２の側面（２５）上に配置されており、ここにおいて、前記熱吸収体の前記第２の側面は、前記端部蓋の内面に向かう方向に面している、
ここにおいて、前記外側冷却ループの別の部分は、前記熱吸収体から流出した前記圧力媒体を、前記圧力媒体が前記炉室に再び流入する前に、前記圧力シリンダの壁の内面（２９）に近接して誘導するように配置された少なくとも１つの第２の圧力媒体誘導路（１０）を備える、
加圧装置。
［２］  前記熱吸収体は、前記熱吸収体の前記第１の側面が、前記熱吸収体の前記第２の側面と向かい合うように配置されている、［１］に記載の加圧装置。
［３］  前記熱吸収体の前記少なくとも１つの入口は、少なくとも１つの開口部（２１）を備え、及び／又は、前記熱吸収体の前記少なくとも１つの出口は、少なくとも１つの開口部（２３）を備える、［１］又は［２］に記載の加圧装置。
［４］  前記熱吸収体は複数の入口を備え、前記熱吸収体の前記第１の側面の少なくとも一部分が、前記熱吸収体の前記第１の側面の前記少なくとも一部分にわたって分布した複数の穿孔又は開口部を備え、前記複数の穿孔又は開口部は、前記熱吸収体の前記複数の入口を構成する、［１］〜［３］のいずれか一項に記載の加圧装置。
［５］  前記熱吸収体は、その前記内部で、前記熱吸収体に流入した圧力媒体を、前記熱吸収体の前記少なくとも１つの出口に向かって又はそれへと誘導するように配置された複数の圧力媒体誘導流路（２６）を備える、［１］〜［４］のいずれか一項に記載の加圧装置。
［６］  前記熱吸収体の前記圧力媒体誘導流路は、ハニカム構造に含まれるか、又はハニカム構造によって構成される、［５］に記載の加圧装置。
［７］  前記熱吸収体の前記圧力媒体誘導流路のうちの少なくとも１つが、それぞれの前記圧力媒体誘導流路に沿う方向から見て、正方形、円形、又は楕円形の断面を有する、［５］又は［６］に記載の加圧装置。
［８］  前記熱吸収体は、多孔質構造を備える、［１］〜［７］のいずれか一項に記載の加圧装置。
［９］  前記少なくとも１つの第２の圧力媒体誘導路は、前記熱吸収体から流出した前記圧力媒体を、前記圧力媒体が前記炉室に再び流入する前に、更に前記端部蓋に近接して誘導するように更に配置され得る、［１］〜［８］のいずれか一項に記載の加圧装置。
［１０］  前記熱吸収体は、前記熱吸収体の前記第２の側面と、前記ハウジングの一部分との間に空間が存在するように、前記ハウジングによって少なくとも部分的に囲われ、この空間に、前記熱吸収体から流出した前記圧力媒体が流入し、前記圧力媒体は、前記ハウジングの前記部分における少なくとも１つの開口部（３８）を介して、前記少なくとも１つの第２の圧力媒体誘導路へと誘導され得る、［１］〜［９］のいずれか一項に記載の加圧装置。
［１１］  前記熱吸収体は、前記端部蓋に機械的に接続されている、［１］〜［１０］のいずれか一項に記載の加圧装置。
［１２］  前記端部蓋は上端部蓋（３）を備え、前記圧力容器は下端部蓋（９）を更に含み、前記炉室は、前記圧力媒体が、前記炉室と前記下端部蓋との間の空間から前記炉室へ流入し、また、前記炉室から流出してこの空間へ流入し得るように配置されている、［１］〜［１１］のいずれか一項に記載の加圧装置。
【図１】
0006888111.tif 000002
【図２】
0006888111.tif 000003
【図３】
0006888111.tif 000004
【図４】
0006888111.tif 000005